(57)【特許請求の範囲】
【請求項１】
非回転部材８と、前記非回転部材８に対して同軸に取り付けられ、噛み込み機構式一方向クラッチ機構を介して該非回転部材８に対して一方向にのみ回転自在な回転部材３０と、端部に係止部６ｂが形成されたコイルスプリング６ａが前記回転部材３０の円周面に配置され、該回転部材３０に対して前記コイルスプリング６ａが締め付け状態及び締め付けが緩む状態となるコイルスプリング式クラッチ６と、前記非回転部材８に対して相対的に回転自在に取り付けられた入力側回転部材１０と、前記入力側回転部材１０の両回転方向のいずれにおいても前記係止部６ｂに当接して前記コイルスプリング６ａが前記回転部材３０に対して締め付けが緩む状態となる方向に係合するように前記入力側回転部材１０に設けられた入力側係合部１０ｅと、前記回転部材３０に対して相対的に回転自在な出力側回転部材４と、前記出力側回転部材４の両回転方向の少なくとも一方向の回転において前記係止部６ｂに当接して前記コイルスプリング６ａが前記回転部材３０に対して締め付け状態となる方向に係合するように前記出力側回転部材４に設けられた出力側係合部４ｂと、前記入力側回転部材１０の回転を前記出力側回転部材４に伝達する係合手段とを備えたことを特徴とする回転体の入出力装置。
【請求項２】
前記噛み込み機構式一方向クラッチ機構は、ニードル２８若しくは球体とこれを噛み込み方向に案内するガイド溝３２とから成り、前記ガイド溝３２を前記回転部材３０と前記非回転部材８側のいずれか一方に設けたことを特徴とする請求項１に記載の回転体の入出力装置。
【請求項３】
前記噛み込み機構式一方向クラッチ機構は、スプラグ３８と、これを保持する保持具４０と、前記スプラグ３８を付勢するばね体４２とから成ることを特徴とする請求項１に記載の回転体の入出力装置。
【請求項４】
前記噛み込み機構式一方向クラッチ機構は、爪部材４８と、該爪部材４８を付勢するスプリング５０と、前記爪部材４８を受け入れるノッチ４６とから成り、前記爪部材４８と該爪部材４８を付勢するスプリング５０とを前記回転部材３０と非回転部材８側のいずれか一方側に設け、前記ノッチ４６を前記回転部材３０と非回転部材８側のいずれか他方側に設けたことを特徴とする請求項１に記載の回転体の入出力装置。
【発明の詳細な説明】
【技術分野】
【０００１】
本発明は、出力側からの出力側回転部材の少なくとも一方向の回転は固定され、出力側から少なくとも一方向に出力側回転部材を回転できないようにする一方、入力側からの入力側回転部材の回転を許容し、且つ入力側回転部材の回転を出力側回転部材に伝達できるようにした回転体の入出力装置に関する。
【背景技術】
【０００２】
従来の回転体の入出力装置は、図８乃至図１０に示す構成となっている。この従来装置では、出力軸２から出力側回転部材４に回転力が伝達されると、出力側回転部材４はコイルスプリング式クラッチ６を介して非回転部材８に固定され、出力軸２の正逆方向の回転が阻止される。また、入力側回転部材１０は、入力側から回転力が伝達されると、該回転力によってコイルスプリング式クラッチ６を外し、非回転部材８に対して回転自在な状態となるとともに、この入力側回転部材１０の回転は、出力側回転部材４に伝達できる構成となっている。
【０００３】
ケーシング１２の前壁部には軸穴が形成され、該軸穴には入力側回転部材１０の管状部１０ａがベアリング１４を介して回転自在に嵌合し、該軸穴の他方には非回転部材８が固定されている。前記入力側回転部材１０の管状部１０ａに結合する入力側回転部材１０の盤状部１０ｂの外周部には、弧状の係合片１０ｃが形成されている。前記非回転部材８の外周面には、コイルスプリング式クラッチ６が嵌挿配置され、該コイルスプリング式クラッチ６は、コイルスプリング６ａの両端にそれぞれ係止部６ｂが屈折形成された構成となっている。前記入力側回転部材１０の盤状部１０ｂの外周面には出力側回転部材４の弧状の周壁部４ａが嵌合配置され、該周壁部４ａの一部に形成された切り欠き部に前記入力側回転部材１０の係合片１０ｃが遊嵌配置されている。前記ケーシング１２には、キャップ１６がビスにより脱着可能に固定されている。
【０００４】
上記した構成において、出力軸２にはこれに連係するブラインドやスクリーン、棚などの昇降体の重量が図９中、反時計方向に回転力として作用している。この出力側の付勢力により、出力軸２が、図９中、反時計方向に回転しようとすると、これと連動する出力側回転部材４の係合部４ｂが、対向するコイルスプリング６ａの係止部６ｂに圧接する。この圧接力によって、係止部６ｂに、図９中、反時計方向の回転力が作用し、コイルスプリング６ａは、非回転部材８に対して締め付け状態となり、該コイルスプリング６ａは、非回転部材８にロックされる。一方、出力軸２が、時計方向に出力側から回転すると、出力側回転部材４の係合部４ｂが対向するコイルスプリング６ａの係止部６ｂに衝突し、コイルスプリング６ａは非回転部材８に締め付け状態となって、非回転部材８にロックされる。このように、出力軸２の、出力側からの正逆方向の回転が非回転部材８にロックされる。
【０００５】
次に、入力側の回転操作により、ブラインドやスクリーン、棚等の昇降体を昇降させる動作について説明する。
ブラインドやスクリーン、棚等をその重量に抗して上昇させる場合には、入力側回転部材１０のプーリ１０ｄに巻き回された紐状部材１８を操作する等してプーリ１０ｄを回転させ、入力側回転部材１０を、図９中、時計方向に回転させる。これにより、係合片１０ｃの係合部１０ｅが対向するコイルスプリング６ａの係止部６ｂに衝突する。この衝突により、係止部６ｂに時計方向の回転力が作用すると、コイルスプリング６ａは非回転部材８に対して締め付けが緩む状態となり、コイルスプリング６ａは、非回転部材８に対してフリー回転可能な状態となる。この状態でコイルスプリング６ａに、係止部６ｂを介して入力側回転部材１０から時計方向に回転力が付与されると、入力側回転部材１０の回転に伴って、コイルスプリング６ａが非回転部材８に対して空回りする。
【０００６】
入力側回転部材１０が、図９中、時計方向に回転するとき、入力側回転部材１０の係合片１０ｃの側面１０ｆ即ち係合部１０ｅは、コイルスプリング６ａの係止部６ｂを介して、出力側回転部材４の周壁部４ａの端面４ｃ即ち係合部４ｂに当接する。これにより、入力側回転部材１０の図９中、時計方向の回転は、出力側回転部材４に伝達され、出力軸２が時計方向に回転して、ブラインドやスクリーン、棚等が上昇する。入力側回転部材１０を、図９中、反時計方向に回転させた場合も、上記と同様な原理で、入力側回転部材１０の、非回転部材８に対する回転がフリーとなり、該入力側回転部材１０の回転と連動して、出力側回転部材４が反時計方向に回転する。    
【発明の開示】
【発明が解決しようとする課題】
【０００７】
上記従来装置では、出力側回転部材からの回転は固定され、即ち、出力側から出力側回転部材を回転させようとしてもこれを回転せしめることができない構成となっている。従来装置においては、入力側回転部材を回転せしめた場合において、コイルスプリング式クラッチは非回転部材に対して締め付け力が緩む方向に変位しているために、入力側回転部材の回転力が出力側回転部材に伝達される構成となっている。
【０００８】
しかしながら、この状態において、コイルスプリング式クラッチの非回転部材に対する締め付け力は緩んだ状態であるだけであり、コイルスプリング式クラッチと非回転部材とは一定の摩擦力をもって対向配置されていることになる。従って、入力側回転部材を回転せしめるに当たって、上記摩擦力の作用により、その回転負荷が大きく、入力操作がやりづらい欠点があった。
本発明の目的は、出力側回転部材の一方向の回転はこれを阻止し、入力側回転部材からの回転力はこれを出力側回転部材に伝達する構成とし、且つ、入力側回転部材の操作力を小さくし、その操作をやりやすくすることである。
【課題を解決するための手段】
【０００９】
上記目的を達成するため本発明は、非回転部材８と、前記非回転部材８に対して同軸に取り付けられ、噛み込み機構式一方向クラッチ機構を介して該非回転部材８に対して一方向にのみ回転自在な回転部材３０と、端部に係止部６ｂが形成されたコイルスプリング６ａが前記回転部材３０の円周面に配置され、該回転部材３０に対して前記コイルスプリング６ａが締め付け状態及び締め付けが緩む状態となるコイルスプリング式クラッチ６と、前記非回転部材８に対して相対的に回転自在に取り付けられた入力側回転部材１０と、前記入力側回転部材１０の両回転方向のいずれにおいても前記係止部６ｂに当接して前記コイルスプリング６ａが前記回転部材３０に対して締め付けが緩む状態となる方向に係合するように前記入力側回転部材１０に設けられた入力側係合部１０ｅと、前記回転部材３０に対して相対的に回転自在な出力側回転部材４と、前記出力側回転部材４の両回転方向の少なくとも一方向の回転において前記係止部６ｂに当接して前記コイルスプリング６ａが前記回転部材３０に対して締め付け状態となる方向に係合するように前記出力側回転部材４に設けられた出力側係合部４ｂと、前記入力側回転部材１０の回転を前記出力側回転部材４に伝達する係合手段とを備えたことを特徴とする。
また本発明は、前記噛み込み機構式一方向クラッチ機構は、ニードル２８若しくは球体とこれを噛み込み方向に案内するガイド溝３２とから成り、前記ガイド溝３２を前記回転部材３０と前記非回転部材８側のいずれか一方に設けたことを特徴とする。
また本発明は、前記噛み込み機構式一方向クラッチ機構は、スプラグ３８と、これを保持する保持具４０と、前記スプラグ３８を付勢するばね体４２とから成ることを特徴とする。
また本発明は、前記噛み込み機構式一方向クラッチ機構は、爪部材４８と、該爪部材４８を付勢するスプリング５０と、前記爪部材４８を受け入れるノッチ４６とから成り、前記爪部材４８と該爪部材４８を付勢するスプリング５０とを前記回転部材３０と非回転部材８側のいずれか一方側に設け、前記ノッチ４６を前記回転部材３０と非回転部材８側のいずれか他方側に設けたことを特徴とするものである。
【発明の効果】
【００１０】
本発明は、出力側回転部材の一方向の回転はこれを阻止し、入力側回転部材からの回転力はこれを出力側回転部材に伝達することができるとともに、入力側回転部材の操作力を小さくでき、その操作をやりやすくすることができる。
【発明を実施するための最良の形態】
【００１１】
以下に本発明の実施の形態を添付した図面を参照して詳細に説明する。
なお、本発明の実施形態の説明に際し、従来装置と本発明に係る装置の同一の構成部分については同一の符号を付し、対応関係を明らかにしている。
図１は、本発明に係る回転体の入出力装置の断面図を示している。本装置のケーシング１２の前部壁には軸穴が形成され、該軸穴に管体２０が一体的に固設されている。該管体２０の内径部には中央の隔壁の前後に位置して異なる径の筒状部２２，２４が形成されている。
【００１２】
前記管体２０の内径部には鍔部を有する入力側回転部材１０の管状部１０ａが回転自在に嵌合し、該入力側回転部材１０の管状部１０ａの外周面は、前記筒状部２４に嵌合配置されたベアリング１４によって、前記ケーシング１２に回転自在に支持されている。前記入力側回転部材１０の鍔部の一方の面には、リング状に凸起部１０ｇが形成され、該凸起部１０ｇが前記ベアリング１４の内輪に圧接し、入力側回転部材１０の管状部１０ａの鍔部の一方の面の外周部近傍は、僅かな隙間を存して、ケーシング１２の管体２０の端面に平行に対向している。前記入力側回転部材１０の管状部１０ａの先端には、入力側回転部材１０の盤状部１０ｂの軸穴２６が連結している。
【００１３】
管状部１０ａの端面に形成された凹凸部と盤状部１０ｂの軸穴２６の外周部に形成された凹凸部とが互いに回転しないように密嵌し、該嵌合によって、管状部１０ａと盤状部１０ｂとは一体的に構成され、全体として入力側回転部材１０を構成している。前記入力側回転部材１０の盤状部１０ｂの外周部には、軸方向に所定の幅を有して弧状の係合片１０ｃが形成されている。前記入力側回転部材１０の管状部１０ａの外周面は、インナースリーブから成る非回転部材８に回転自在に嵌合配置されている。前記非回転部材８の鍔８ａは、前記ケーシング１２の筒状部２２に回転止め機構を介して嵌合している。前記非回転部材８の管状部の外周面には複数のニードル２８を介してアウタースリーブから成る回転部材３０が嵌合配置されている。
【００１４】
前記回転部材３０の一方の端面は、前記ケーシング１２の筒状部２２の端面に当接し、該回転部材３０の外周面にコイルスプリング６ａが嵌挿配置されている。前記回転部材３０の内径部には、前記ニードル２８が前記非回転部材８の外周面に噛み込む（即ち圧着する）方向と、該外周面から離れる方向の２方向に案内する傾斜面を有する、ガイド溝３２が円周方向に所定間隔を存して複数形成され、各ガイド溝３２に、回転部材３０の軸方向に平行な方向に配置されたニードル２８がスライド自在に配置されている。前記入力側回転部材１０の盤状部１０ｂの外周面には、出力側回転部材４の弧状の周壁部４ａがスライド自在に嵌合配置され、該周壁部４ａの一部に形成された切り欠き部３４に前記入力側回転部材１０の係合片１０ｃが遊嵌配置されている。
【００１５】
前記切り欠き部３４の円周方向の長さは、図２に示すように、前記係合片１０ｃの円周方向の長さより所定長さ、長く設定されている。これにより、出力側回転部材４の周壁部４ａの両端の係合部４ｂ，４ｂが前記コイルスプリング６ａの両端の係止部６ｂ，６ｂに外側から対向し、入力側回転部材１０の係合片１０ｃの両端の係合部１０ｅ，１０ｅが、前記コイルスプリング６ａの係止部６ｂ，６ｂに、前記周壁部４ａの両端の係合部４ｂ，４ｂとは反対側から、即ち内側から対向している。前記出力側回転部材４と入力側回転部材１０とは、前記切り欠き部３４の長さと前記係合片１０ｃの円周方向の長さとの差によって規定された範囲内で互いに相対回転自在に嵌合している。
【００１６】
前記出力側回転部材４の盤状部の中心には、筒部４ｄが形成され、該筒部４ｄの中空部は、入力側回転部材１０の中心の中空部と同軸上で連通している。前記出力側回転部材４にはキャップ１６が嵌合配置され、該キャップ１６の鍔部が前記ケーシング１２の前部壁にビスにより脱着可能に固定されている。前記コイルスプリング６ａは回転部材３０に対して締め付け状態及び締め付けが緩むとなるコイルスプリング式クラッチ６を構成し、図２において、出力側回転部材４が左右いずれかの方向に回転すると、その周壁部４ａの係合部４ｂ，４ｂのいずれか一方が、コイルスプリング６ａの係止部６ｂ，６ｂのいずれか一方に衝突し、該係止部６ｂ，６ｂのいずれか一方を回転方向に圧接する。コイルスプリング６ａはこの圧接力によって回転部材３０を締め付ける状態となり、回転部材３０に制止力が付与されている場合には、コイルスプリング６ａは縮径方向に変位して回転部材３０に固定される。
【００１７】
この固定により、コイルスプリング６ａの係止部６ｂと係合する出力側回転部材４の回転力がコイルスプリング６ａを介して回転部材３０に伝達される。一方、入力側回転部材１０が左右いずれかの方向に回転すると、係合片１０ｃの係合部１０ｅ，１０ｅのいずれか一方がコイルスプリング６ａの係止部６ｂ，６ｂのいずれか一方に衝突し、該係止部６ｂを回転方向に圧接する。コイルスプリング６ａはこの圧接力によって、回転部材３０に対して締め付けが緩む状態となり、コイルスプリング６ａは、回転部材３０に制止力が付与されている場合には、入力側回転部材１０の回転力により、該入力側回転部材１０の回転と連動して回転部材３０の外周面を滑り回転し、入力側回転部材１０の回転力が回転部材３０に伝達されない。
【００１８】
ガイド溝３２とニードル２８の構造は、回転部材３０と非回転部材８との間に介在した、噛み込み部材即ちニードル２８により回転力の伝達非伝達を制御する、噛み込み機構式一方向クラッチ機構を構成している。該噛み込み機構式一方向クラッチ機構は、図２に示すように、非回転部材８の外周面に対して接線方向に傾斜したガイド溝３２にニードル２８が配置され、該ニードル２８は、ガイド溝３２に配置された屈折スプリング３６により、非回転部材８の外周面に線状に弾接し、噛み込み部材を構成している。
【００１９】
図２中、回転部材３０が反時計方向に回転すると、この回転にともなって、この回転力および屈折スプリング３６のバネ力によって、ニードル２８がガイド溝３２の端面３２ｂ方向に強く押される。このようにニードル２８が上記端面３２ｂ側に強く押されるとニードル２８は、ガイド溝３２の傾斜面３２ａと非回転部材８の外周とで形成されるくさび状の挟持部に完全に挟持される。このようにニードル２８が挟持部に挟持されると、ニードル２８の非回転部材８に対する押圧力が増大し、このニードル２８が、回転部材３０の回転をロックしてしまう。
一方、上記とは逆に、回転部材３０を図２の時計方向に回転させると、この回転にともなって、ニードル２８は回転部材３０に対して相対的に反時計方向に押されることなる。ニードル２８が反時計方向に押されると、ニードル２８は屈折スプリング３６をたわませながら、ガイド溝３２のバネ孔側の方向に移動する。ガイド溝３２は、バネ孔側でその大きさをニードル２８の直径よりも大きくしているので、ニードル２８は、上記挟持部より外れる。すなわち、ニードル２８が非回転部材８方向に押し付けられて、回転部材３０と非回転部材８との相対回転をロックすることがない。すなわち、回転部材３０の回転をフリーな状態に保つ。
【００２０】
前記噛み込み機構式一方向クラッチ機構は、上記したニードル２８とガイド溝３２の構成に特に限定されるものではなく、公知の球体とガイド溝の一方クラッチの構成その他回転部材３０の、非回転部材８に対する自由回転の動きが、コイルスプリング式の一方クラッチ機構に比しスムーズなものであればどのような構造のものであっても良い。また、ガイド溝を非回転部材８側に設けるようにしても良い。次に本発明の実施形態で利用可能な噛み込み機構式一方向クラッチ機構の他の実施形態を図４及び図５を参照して説明する。
【００２１】
図４は、スプラグ式の噛み込み機構式一方向クラッチ機構であり、スプラグ３８が保持具４０によって一定間隔で保持され、ばね体４２により、スプラグ３８が回転部材３０の内径面と非回転部材８の外周面に接触するように付勢されている。ここで、回転部材３０が図４中、時計方向に回転すると、回転部材３０とスプラグ３８との接触圧及びスプラグ３８と非回転部材８との接触圧によってスプラグ３８は起立方向に回転し、径寸法が大きくなる為、回転部材３０とスプラグ３８との接触圧及びスプラグ３８と非回転部材８との接触圧が大きくなり、回転部材３０は非回転部材８に対して回転方向にロックされる。又、回転部材３０が図４中、反時計方向に回転すると、回転部材３０とスプラグ３８との接触圧及びスプラグ３８と非回転部材８との接触圧によってスプラグ３８は倒れる方向に回転し、径方向寸法が小さくなる為、回転部材３０とスプラグ３８との接触圧及びスプラグ３８と非回転部材８との接触圧が小さくなり、回転部材３０は非回転部材８に対して回転方向にフリー状態となり、回転伝達が遮断される。
【００２２】
図５は、ラチェット型の噛み込み機構式一方向クラッチ機構であり、内周にポケット４４を有する回転部材３０と、外周にノッチ４６を有する非回転部材８と、前記ポケット４４に収納され前記ノッチ４６に嵌合してワンウェイクラッチをロック状態にし、回転部材３０と非回転部材８との間でトルクを伝達させる爪部材４８と、爪部材４８を非回転部材８へ付勢するスプリング５０とによって構成される。尚、爪部材４８とスプリング５０とを非回転部材８側に配置し、ノッチ４６を回転部材３０側に設けるようにしても良い。
【００２３】
以上の構成のラチェット型噛み込み機構式一方向クラッチ機構は、回転部材３０が一方向に回転すると、爪部材４８が非回転部材８の外周に対してフリーで摺動するので、回転部材３０と非回転部材８とが相対的に空転する。次に回転部材３０が他方向に回転しようとすると、爪部材４８がノッチ４６に嵌合し、ワンウェイクラッチがロックアップ状態となる。
【００２４】
前記出力側回転部材４の角穴には、ブラインド、スクリーンあるいは棚などの昇降装置に連係する出力軸２の角形部が互いに回転方向に連動するように結合している。また、前記ケーシング１２は、前記昇降装置の機体側に固定され、入力側回転部材１０にはプーリ１０ｄとこれに巻き付けられた紐状部材１８とから成る回転操作手段が取り付けられている。本実施形態では前記出力軸２には、ブラインド、スクリーンあるいは棚などの重量によって回転力が一方向に付与された状態となっている。
【００２５】
次に本実施形態の動作について説明する。
出力軸２がブラインドやスクリーン、棚等の重量による付勢力により、図２中、反時計方向に回転しようとすると、これと連動する出力側回転部材４が、入力側回転部材１０の盤状部１０ｂを中心として反時計方向に回転しようとし、係合部４ｂが対向するコイルスプリング６ａの係止部６ｂを押圧する。この押圧により、係止部６ｂに、図２中、反時計方向に回転力が作用し、コイルスプリング６ａは回転部材３０に対して締め付け状態となり、コイルスプリング６ａは、回転部材３０にロックされる。
【００２６】
このロック状態で、回転部材３０に、出力側回転部材４からの反時計方向の回転力が付与され、回転部材３０が、反時計方向に回転しようとすると、ニードル２８が非回転部材８の外周面に噛み込まれ、回転部材３０は、非回転部材８にロックされる。これによって、出力軸２の、図２中、反時計方向の回転が阻止され、出力軸２のブラインドやスクリーン、棚等の重量による落下が阻止される。
次に、入力側の回転操作により、出力軸２を正逆方向に回転させて、ブラインドやスクリーン、棚等を昇降させる動作について説明する。
【００２７】
ブラインドやスクリーン、棚等をその重量に抗して上昇させる場合には、入力側回転部材１０を紐状部材１８を操作等して、図２中、時計方向に回転させる。紐状部材１８を人力等により引っ張り操作等し、プーリ１０ｄを回転させ、入力側回転部材１０を時計方向に回転させると、入力側回転部材１０の盤状部１０ｂの係合部１０ｅがコイルスプリング６ａの係止部６ｂに衝突する。この衝突により、係止部６ｂに時計方向の回転力が作用すると、コイルスプリング６ａは、回転部材３０に対して締め付け状態が緩む状態となり、コイルスプリング６ａは、回転部材３０に対してフリー回転可能な状態となる。
【００２８】
この状態でコイルスプリング６ａに、係止部６ｂを介して入力側回転部材１０から時計方向の回転力が付与されると、入力側回転部材１０の回転に伴って、コイルスプリング６ａが回転部材３０に対して空回りしようとする。このとき、コイルスプリング６ａと回転部材３０の外周面との摩擦力により、回転部材３０に、図中、時計方向の回転力が生じるため、ニードル２８が非回転部材８に対して、噛み込み方向とは反対方向に後退し、回転部材３０は、非回転部材８に対してフリー回転可能な状態となる。
【００２９】
この噛み込み機構式一方向クラッチ機構の回転力遮断作用により、入力側回転部材１０は、コイルスプリング６ａの摩擦力の影響を受けることなく非回転部材８に対してスムーズに時計方向に回転する。入力側回転部材１０が、図２中、時計方向に回転するとき、入力側回転部材１０の係合片１０ｃは、その係合部１０ｅがコイルスプリング６ａの係止部６ｂに接触しながらその側面１０ｆ即ち上記係止部６ｂが、出力側回転部材４の周壁部４ａの端面４ｃ即ち係合部４ｂに当接する。これにより、入力側回転部材１０の図２中、時計方向の回転は、出力側回転部材４に伝達され、出力軸２が時計方向に回転して、ブラインドやスクリーン、棚等が上昇する。上記周壁部４ａの端面４ｃ，４ｃと係合片１０ｃの側面１０ｆ，１０ｆとの当接構造は、入力側回転部材１０の回転を出力側回転部材４に伝達する係合手段を構成している。
【００３０】
ブラインドやスクリーン、棚等を下降させる場合には、入力側回転部材１０を紐状部材１８を操作する等して、図２中、反時計方向に回転させる。紐状部材１８を人力等により引っ張り操作する等し、プーリ１０ｄを回転させ、入力側回転部材１０を反時計方向に回転させると、入力側回転部材１０の盤状部１０ｂの係合部１０ｅがコイルスプリング６ａの係止部６ｂに衝突する。この衝突により、係止部６ｂに反時計方向の回転力が作用すると、コイルスプリング６ａは、回転部材３０に対して締め付け状態が緩む状態となり、コイルスプリング６ａは、回転部材３０に対してフリー回転可能な状態となる。
【００３１】
この状態でコイルスプリング６ａに、係止部６ｂを介して入力側回転部材１０から反時計方向の回転力が付与されると、入力側回転部材１０の回転に伴って、コイルスプリング６ａが回転部材３０に対して空回りする。このとき、コイルスプリング６ａと回転部材３０の外周面との摩擦力により、回転部材３０に、図中、反時計方向の回転力が生じると、ニードル２８が非回転部材８に対して噛み込み、回転部材３０は、非回転部材８にロックされる状態となる。そのため、入力側回転部材１０は、コイルスプリング６ａの回転部材３０に対する空回りによる摩擦力の影響を受けながら反時計方向に回転する。
【００３２】
このコイルスプリング６ａの摩擦力の影響は、ブラインドやスクリーン、棚等の重量による出力軸２の、図２中、反時計方向の回転力によって相殺される。従って、入力側回転部材１０を軽い操作力でスムーズに回転させることができる。入力側回転部材１０が、図２中、反時計方向に回転するとき、係合片１０ｃがコイルスプリング６ａの係止部６ｂに接触しながらその側面１０ｆが、出力側回転部材４の周壁部４ａの端面４ｃに、係止部６ｂを介して当接する。これにより、入力側回転部材１０の図２中、反時計方向の回転は、出力側回転部材４に伝達され、出力軸２が反時計方向に回転して、ブラインドやスクリーン、棚等が下降する。
【００３３】
次に本発明の他の実施形態を図６及び図７を参照して説明する。
ケーシング１２には、棚などの昇降体（図示省略）が連結し、該ケーシング１２は該昇降体の重量及び自重により下方向に付勢されている。ケーシング１２は、棚などの昇降装置の機体（図示省略）に昇降ガイドを介して直線方向に昇降自在に支持されている。前記昇降装置の機体にはラック５２が立設され、該ラック５２に、出力軸２に固着された歯車５４が噛み合っている。他の構成は、第１の実施形態と同一であり、対応する部分に同一の符号を付してその説明を省略する。  
【００３４】
上記した構成において、ケーシング１２にかかる下向きの荷重により、出力軸２には、図７中、反時計方向に回転力が生じるが、出力軸２は、コイルスプリング式クラッチ６を介して非回転部材８側にロックされ、反時計方向に回転することがなく、ケーシング１２は通常、静止状態に保持される。出力軸２を正逆回転させ、ケーシング１２及びそれに連結する棚などの昇降体を昇降させる場合は、外部操作力によって、入力側回転部材１０に設けたプーリやハンドルを操作し、入力側回転部材１０を正逆回転させる。入力側回転部材１０を正逆回転させると、出力側回転部材４が正逆回転し、これと連動して、出力軸２が正逆回転して、ケーシング１２が昇降する。この動作は、上記第１の実施形態で説明した動作と同一なのでその説明を省略する。
【００３５】
上記実施形態では、ケーシング１２を昇降自在な構成としたが、ケーシング１２を第１の実施形態と同様に固定状態とし、ラック５２を昇降自在に支承し、該ラック５２側に棚などの昇降体を取り付け、歯車５４の正逆回転により、ラック５２が昇降する構成としても良い。
【図面の簡単な説明】
【００３６】
【図１】本発明に係る回転体の入出力装置の断面図である。
【図２】回転体の入出力装置のＡ−Ａ線断面図である。
【図３】回転体の入出力装置の分解斜視図である。
【図４】噛み込み機構式一方向クラッチ機構の説明図である。
【図５】噛み込み機構式一方向クラッチ機構の説明図である。
【図６】本発明の他の実施形態を示す断面説明図である。
【図７】図６の側面説明図である。
【図８】従来技術の断面図である。
【図９】従来装置のＢ−Ｂ線断面図である。
【図１０】従来技術の分解斜視図である。
【符号の説明】
【００３７】
２      出力軸
４      出力側回転部材
４ａ    周壁部
４ｂ    係合部
４ｃ    端面
４ｄ    筒部
６      コイルスプリング式クラッチ
６ａ    コイルスプリング
６ｂ    係止部
８      非回転部材
８ａ    鍔
１０    入力側回転部材
１０ａ  管状部
１０ｂ  盤状部
１０ｃ  係合片
１０ｄ  プーリ
１０ｅ  係合部
１０ｆ  側面
１０ｇ  凸起部
１２    ケーシング
１４    ベアリング１４
１６    キャップ
１８    紐状部材
２０    管体
２２    筒状部
２４    筒状部
２６    軸穴
２８    ニードル
３０    回転部材
３２    ガイド溝
３２ａ  傾斜面
３２ｂ  端面
３４    切り欠き部
３６    屈折スプリング
３８    スプラグ
４０    保持具
４２    ばね体
４４    ポケット
４６    ノッチ
４８    爪部材
５０    スプリング
５２    ラック
５４    歯車
【図１】
0004834621.tif 000002
【図２】
0004834621.tif 000003
【図３】
0004834621.tif 000004
【図４】
0004834621.tif 000005
【図５】
0004834621.tif 000006
【図６】
0004834621.tif 000007
【図７】
0004834621.tif 000008
【図８】
0004834621.tif 000009
【図９】
0004834621.tif 000010
【図１０】
0004834621.tif 000011